(57)【要約】  水が多量に使われる時間帯を避け、水があまり使われない時間帯に、例えば回転速度が低くなるようにポンプ（１）の回転速度を制御して、省エネルギー化の要請に応えることができるようにした給水装置を提供する。給水装置は、水を加圧して送水するポンプ（１）と、ポンプ（１）に電力を供給してポンプ（１）を変速運転する周波数変換器と、第１運転と該第１運転より消費電力が少ない第２運転のいずれかでポンプ（１）を運転するように周波数変換器に運転信号を送る制御部（１５）とを備えている。制御部（１５）は、ポンプ（１）の運転を第１運転から第２運転に移行して良いか否かを、ポンプ（１）の運転状況に基づいて判断する。
2013099843.tif 000002
【特許請求の範囲】
【請求項１】
水を加圧して送水するポンプと、
前記ポンプに電力を供給して該ポンプを変速運転する周波数変換器と、
第１運転と該第１運転より消費電力が少ない第２運転のいずれかで前記ポンプを運転するように前記周波数変換器に運転信号を送る制御部とを備え、
前記制御部は、前記ポンプの運転を前記第１運転から前記第２運転に移行して良いか否かを、前記ポンプの運転状況に基づいて判断することを特徴とする給水装置。
【請求項２】
水を加圧して送水するポンプと、
前記ポンプに電力を供給して該ポンプを変速運転する周波数変換器と、
第１運転と該第１運転より消費電力が少ない第２運転のいずれかで前記ポンプを運転するように前記周波数変換器に運転信号を送る制御部とを備え、
前記制御部は、前記ポンプの運転を前記第２運転から前記第１運転に移行して良いか否かを、前記ポンプの運転状況に基づいて判断することを特徴とする給水装置。
【請求項３】
前記制御部は、前記ポンプが駆動していない時に、ポンプ停止時間を基に該ポンプ停止時間が所定時間より長い場合に、前記ポンプの運転を前記第１運転から前記第２運転に移行して良いと判断することを特徴とする請求項１に記載の給水装置。
【請求項４】
前記制御部は、前記第１運転にて前記ポンプが駆動している時のポンプ運転時間、ポンプ停止時間及び使用水量を基に設定した第１閾値を下回った時に、前記ポンプの運転を前記第１運転から前記第２運転に移行して良いと判断することを特徴とする請求項１に記載の給水装置。
【請求項５】
前記制御部は、前記第２運転にて前記ポンプが連続して駆動している時に、ポンプ直前駆動時間を基に該ポンプ直前駆動時間が所定時間よりも長い場合に、前記ポンプの運転を前記第２運転から前記第１運転に移行して良いと判断することを特徴とする請求項２に記載の給水装置。
【請求項６】
前記制御部は、前記第２運転にて前記ポンプが駆動している時のポンプ運転時間、ポンプ停止時間及び使用水量を基に設定した第２閾値を上回った時に、前記ポンプの運転を前記第２運転から前記第１運転に移行して良いと判断することを特徴とする請求項２に記載の給水装置。
【請求項７】
水を加圧して送水するポンプと、
前記ポンプに電力を供給して該ポンプを変速運転する周波数変換器と、
第１運転と該第１運転より消費電力が少ない第２運転のいずれかで前記ポンプを運転するように前記周波数変換器に運転信号を送る制御部とを備え、
前記制御部は、前記ポンプの運転を前記第１運転から前記第２運転に移行して良いか否か、並びに前記ポンプの運転を前記第２運転から前記第１運転に移行して良いか否かを、前記ポンプの運転状況に基づいて判断することを特徴とする給水装置。
【請求項８】
前記制御部は、前記ポンプが駆動していない時に、ポンプ停止時間を基に該ポンプ停止時間が所定時間より長い場合に、前記ポンプの運転を前記第１運転から前記第２運転に移行して良いと判断し、
前記第２運転にて前記ポンプが連続して駆動している時に、ポンプ直前駆動時間を基に該ポンプ直前駆動時間が所定時間よりも長い場合に、前記ポンプの運転を前記第２運転から前記第１運転に移行して良いと判断することを特徴とする請求項７に記載の給水装置。
【請求項９】
前記制御部は、前記第１運転にて前記ポンプが駆動している時のポンプ運転時間、ポンプ停止時間及び使用水量を基に設定した第１閾値を下回った時に、前記ポンプの運転を前記第１運転から前記第２運転に移行して良いと判断し、
前記第２運転にて前記ポンプが駆動している時のポンプ運転時間、ポンプ停止時間及び使用水量を基に設定した第２閾値を上回った時に、前記ポンプの運転を前記第２運転から前記第１運転に移行して良いと判断することを特徴とする請求項７に記載の給水装置。
【請求項１０】
前記ポンプの前記第１運転は、ポンプの流量と揚程の関係を示す第１揚程曲線に沿って、前記ポンプの前記第２運転は、ポンプの流量と揚程の関係を示す第２揚程曲線に沿ってそれぞれ制御される運転であることを特徴とする請求項１乃至９のいずれかに記載の給水装置。
【請求項１１】
周波数変換器からポンプに電力を供給して該ポンプを第１運転で運転して水を加圧送水し、
前記ポンプの運転を前記第１運転から該第１運転より消費電力が少ない第２運転に移行させて良いか否かを、前記ポンプの運転状況に基づいて判断し、
この判断結果を基に、前記ポンプの運転を前記第１運転から前記第２運転に移行することを特徴とする給水方法。
【請求項１２】
周波数変換器からポンプに電力を供給して該ポンプを第１運転より消費電力が少ない第２運転で運転して水を加圧送水し、
前記ポンプの運転を前記第２運転から前記第１運転に移行させて良いか否かを、前記ポンプの運転状況に基づいて判断し、
この判断結果を基に、前記ポンプの運転を前記第２運転から前記第１運転に移行することを特徴とする給水方法。
【請求項１３】
前記ポンプが駆動していない時に、ポンプ停止時間を基に該ポンプ停止時間が所定時間より長い場合に、前記ポンプの運転を前記第１運転から前記第２運転に移行することを特徴とする請求項１１に記載の給水方法。
【請求項１４】
前記第１運転にて前記ポンプが駆動している時のポンプ運転時間、ポンプ停止時間及び使用水量を基に設定した第１閾値を下回った時に、前記ポンプの運転を前記第１運転から前記第２運転に移行することを特徴とする請求項１１に記載の給水方法。
【請求項１５】
前記第２運転にて前記ポンプが連続して駆動している時に、ポンプ直前駆動時間を基に該ポンプ直前駆動時間が所定時間よりも長い場合に、前記ポンプの運転を前記第２運転から前記第１運転に移行することを特徴とする請求項１２に記載の給水方法。
【請求項１６】
前記第２運転にて前記ポンプが駆動している時のポンプ運転時間、ポンプ停止時間及び使用水量を基に設定した第２閾値を上回った時に、前記ポンプの運転を前記第２運転から前記第１運転に移行することを特徴とする請求項１２に記載の給水方法。
【請求項１７】
周波数変換器からポンプに電力を供給して該ポンプを第１運転で運転して水を加圧送水し、
前記ポンプの運転を前記第１運転から該第１運転より消費電力が少ない第２運転に移行させて良いか否かを、前記ポンプの運転状況に基づいて判断し、該判断結果を基に、前記ポンプの運転を前記第１運転から前記第２運転に移行し、
前記ポンプの運転を前記第２運転から前記第１運転に移行させて良いか否かを、前記ポンプの運転状況に基づいて判断し、該判断結果を基に、前記ポンプの運転を前記第２運転から前記第１運転に移行することを特徴とする給水方法。
【請求項１８】
前記ポンプが駆動していない時に、ポンプ停止時間を基に該ポンプ停止時間が所定時間より長い場合に、前記ポンプの運転を前記第１運転から前記第２運転に移行し、
前記第２運転にて前記ポンプが連続して駆動している時に、ポンプ直前駆動時間を基に該ポンプ直前駆動時間が所定時間よりも長い場合に、前記ポンプの運転を前記第２運転から前記第１運転に移行することを特徴とする請求項１７に記載の給水方法。
【請求項１９】
前記第１運転にて前記ポンプが駆動している時のポンプ運転時間、ポンプ停止時間及び使用水量を基に設定した第１閾値を下回った時に、前記ポンプの運転を前記第１運転から前記第２運転に移行し、
前記第２運転にて前記ポンプが駆動している時のポンプ運転時間、ポンプ停止時間及び使用水量を基に設定した第２閾値を上回った時に、前記ポンプの運転を前記第２運転から前記第１運転に移行することを特徴とする請求項１７に記載の給水方法。
【請求項２０】
前記ポンプの前記第１運転は、ポンプの流量と揚程の関係を示す第１揚程曲線に沿って、前記ポンプの前記第２運転は、ポンプの流量と揚程の関係を示す第２揚程曲線に沿って制御される運転であることを特徴とする請求項１１乃至１９のいずれかに記載の給水方法。
【請求項２１】
水を加圧して送水するポンプと、前記ポンプに電力を供給して該ポンプを変速運転する周波数変換器とを有する給水装置を制御するための制御プログラムであって、
周波数変換器からポンプに電力を供給して該ポンプを第１運転で運転して水を加圧送水する演算処理を実行させ、
前記ポンプの運転を前記第１運転から該第１運転より消費電力が少ない第２運転に移行させて良いか否かを、前記ポンプの運転状況に基づいて判断し、該判断結果を基に、前記ポンプの運転を前記第１運転から前記第２運転に移行する演算処理を実行させ、該ポンプを第２運転で運転して水を加圧送水する演算処理を実行させ、
前記ポンプの運転を前記第２運転から前記第１運転に移行させて良いか否かを、前記ポンプの運転状況に基づいて判断し、該判断結果を基に、前記ポンプの運転を前記第２運転から前記第１運転に移行する演算処理を実行させ、該ポンプを第１運転で運転して水を加圧送水する演算処理を実行させることを特徴とする給水装置の制御プログラム。
【請求項２２】
水を加圧して送水するポンプと、前記ポンプに電力を供給して該ポンプを変速運転する周波数変換器とを有する給水装置を制御する制御装置であって、
ヒューマンインターフェースとしての設定部と、
請求項２１に記載の制御プログラムを格納し前記設定部から入力されるデータを記憶する記憶部と、
給水装置に備えられているセンサ類からの信号を受けて下記の演算部に送るとともに、第１運転と該第１運転より消費電力が少ない第２運転のいずれかで前記ポンプを運転するように、演算部からの運転信号を前記周波数変換器に送るＩ／Ｏ部と、
前記記憶部に記憶されているデータ及び前記Ｉ／Ｏ部から送られる信号を基に、前記制御プログラムを実行させる演算部とを備えていることを特徴とする給水装置の制御装置。
【発明の詳細な説明】
【技術分野】
【０００１】
本発明は、ポンプを使用して、集合住宅やビルなどに水道水等の給水を行う給水装置及び給水方法に関する。また、本発明は、給水装置の制御装置及び給水装置の制御プログラムに関する。
【背景技術】
【０００２】
集合住宅やビルなどに設置され、各給水端へ水を供給する装置として給水装置がある。図１は、このような給水装置の典型例を示すもので、給水装置は、モータＭをそれぞれ有し水を加圧して送水する２台のポンプ１と、各ポンプ１を駆動するためのモータＭに電力を供給するインバータ（周波数変換器）２を備えている。給水装置は、ポンプ１の吐出側に、圧力タンク３と吐出側圧力センサ４を備え、夫々のポンプ１毎にフロースイッチ（流量検出手段）６と逆止弁７を備えている。ポンプ１の吸込側配管８は、水道本管９に接続され、この吸込側配管８に吸込側圧力センサ１０と逆流防止装置１１とが設けられている。更に、水道本管９の圧力のみで給水を行うためのバイパス管１２がポンプ１の吸込側配管８と吐出側配管１３との間に設けられている。そして、バイパス管１２の途中には逆止弁１４が設けられている。ポンプ１の制御を行う制御部１５は、これらのセンサ類からの信号に基づき、状況に応じたポンプ１の回転速度制御及び台数制御を行う。【０００３】
なお、ポンプの吸込側配管が水道本管に接続された直結式給水装置ではなく、受水槽式の給水装置であれば、ポンプの吸込側配管は受水槽に接続され、受水槽に備えられた水位検知器が制御部に接続される。この受水槽式の給水装置の場合、逆流防止装置、吸込側圧力センサ、及びバイパス管は備えられない。【０００４】
図２は、給水装置における、使用流量と該流量に必要な揚程（ヘッド）との関係を示す必要揚程曲線Ａと、この必要揚程曲線Ａを基に設定した（標準）制御用揚程曲線Ｂとを、ポンプのＨ−Ｑ曲線（回転速度Ｎ１，Ｎ２及びＮ３）と共に示す。図２において、横軸は流量Ｑを示し、縦軸は揚程（ヘッド）Ｈを示す。【０００５】
必要揚程曲線Ａは、例えば建物の揚程（最上階の高さ）Ｈ１、水道器具に必要な圧力（水道器具の圧損）Ｈ２、及び流量に依存する配管損失Ｈ３の合計（Ｈ１＋Ｈ２＋Ｈ３）から求められる。この例では、必要揚程曲線Ａは、使用流量が“０”の時の揚程ＰＢ０と、使用流量が最終点Ｑ０の時の揚程ＰＡ０とを滑らかに結ぶ曲線として示されている。【０００６】
この必要揚程曲線Ａは、あくまでも理想の揚程と使用流量との関係を求めたものであり、実際の設計に際しては、必要揚程曲線Ａに対し、例えば十数％程度の余裕を持たせた（標準）制御用揚程曲線Ｂを設定し、この制御用揚程曲線Ｂに基づいてポンプの回転速度を制御することが広く行われている。この（標準）制御用揚程曲線Ｂは、使用流量が“０”の時の前記揚程ＰＢ０に十数％程度の余裕を持たせた揚程（最低必要圧力）ＰＢ１と、使用流量が最終点Ｑ０の時の前記揚程ＰＡ０に十数％程度の余裕を持たせた揚程（最大必要圧力）ＰＡ１とを滑らかに結ぶ曲線として示されている。【０００７】
この制御用揚程曲線Ｂは、揚程と回転速度の関数として、図１に示す給水装置の制御部１５の記憶部に記憶されており、この制御用揚程曲線Ｂに基づいて、つまり、例えば、図２に示すように、使用流量がＱ１の時、この流量Ｑ１と制御用揚程曲線Ｂとの交点Ｕ３がポンプ１の運転ポイント（回転速度Ｎ１）になるように、ポンプ１の回転速度が制御される。【０００８】
図３は、図２に示す給水装置の運転サイクルの一例を示す。図３において、横軸は時間を示し、縦軸はポンプの回転周波数を示している。ポンプ１の回転周波数は、インバータ２により可変速制御される。【０００９】
図３に示すように、ポンプ１が駆動を停止し（時間：ｔ1）、しかる後、吐出側圧力センサ４で測定される吐出し圧力ＤＰが設定した圧力（設定圧）ＳＰより低く（ＤＰ＜ＳＰ）なると、水が使用されていると判断して、ポンプ１は、回転を開始し（時間：ｔ２）、給水を行う。給水中は、設定圧ＳＰと吐出側圧力センサ４で測定される現在の吐出し圧力ＤＰにてＰＩ演算を行い、ＰＩ演算結果をポンプ１の回転周波数に反映させることにより、ポンプ１の可変速制御を行う。【００１０】
そして、ポンプ１による給水中に吐出し圧力ＤＰが充分高くなり、かつフロースイッチ６の「閉」により、使用水量が少なくなったことが検出された時（時間：ｔ３）に、ポンプ１は、圧力タンク４に蓄圧する加圧運転を開始し、次の少量使用時は圧力タンク４内の水を使用できるようにする小水量停止動作を行わせてから、ポンプ１の駆動を停止する（時間：ｔ4）。フロースイッチ６の「閉」を検知する時間は、例えば１秒である。【００１１】
そして、吐出側圧力センサ４で測定される吐出し圧力ＤＰが設定した設定圧ＳＰより低く（ＤＰ＜ＳＰ）なると、水が使用されていると判断して、ポンプ１は、再び回転を開始し（時間：ｔ5）、給水を行う。【００１２】
ここで、ポンプ１が駆動を停止している時間（ｔ１〜ｔ２）を「ポンプ停止時間」とし、ポンプ１が駆動を開始してからフロースイッチ６の「閉」を検知するまでの時間（ｔ２〜ｔ３）を「ポンプ直前駆動時間」とする。このことは、以下同様である。ポンプ１が駆動を停止した後、ポンプ１が駆動を開始して給水を行い、ポンプ１が再び停止するまでの時間（ｔ1〜ｔ4）が給水装置の運転の１サイクルである。水の使用頻度により、給水時間、ポンプ直前駆動時間及びポンプ停止時間が変わり、水の使用水量によりポンプ１の回転周波数が変わる。【００１３】
即ち、水が継続的に使用される時間帯では、ポンプを連続して駆動する「ポンプ直前駆動時間」が長くなり、水があまり使用されない時間帯では、ポンプの駆動を停止する「ポンプ停止時間」が長くなる。また、水が大量に使用されると、ポンプの回転速度が上昇し、水が少量しか使用されないと、ポンプの回転速度が低下する。【００１４】
上記のように、必要揚程曲線Ａに対し、例えば十数％程度の余裕を持たせた（標準）制御用揚程曲線Ｂを設定し、この制御用揚程曲線Ｂに基づいてポンプの回転速度を制御することで、例えば配管に腐食が発生して配管損失が設計当初に比べて大きくなった場合に、給水装置がその使用性能を出せなくなってしまうことを防止したり、また使用者サイドで何らかの理由により、もう少し流量が出したいとの要求があった場合に、この要求に応えたりすることができる。【００１５】
なお、配管抵抗とポンプ性能曲線とから求められる流量をインプットし、目的とする流量が得られるようにポンプの回転速度を自動的に合わせてゆく方法が提案されている（特許文献１参照）。この方法は、最初に流量を測定した地点で、流量が多ければポンプの回転速度を自動的に下げ、ポンプの回転速度を下げても更に流量が多ければ、更にポンプの回転速度を流量に合うように自動的に下げ、順次目標とする流量になるまでポンプの回転速度を自動的に調整してゆくようにしている。
【先行技術文献】
【特許文献】
【００１６】
【特許文献１】特開昭５９−５１１９３号公報
【発明の概要】
【発明が解決しようとする課題】
【００１７】
使用者から要求される使用流量−揚程に対して、例えば十数％程度の余裕をもった（標準）制御用揚程曲線を設定し、この制御用揚程曲線に基づいてポンプの回転速度を制御する場合、制御が一義的に定まり、例えば諸般の事情に合わせて、省エネルギー化を図ろうとしても、これに柔軟に対応することができなかった。例えば、図２に示すように、制御用揚程曲線Ｂに基づいて、使用者の使用流量がＱ１となるように、ポンプの回転速度を制御しようとすると、図２の流量Ｑ１と制御用揚程曲線Ｂとの交点Ｕ３が運転ポイント（回転速度Ｎ１）となるようにポンプの運転が制御され、この運転ポイントを必要に応じて変更させることができない。【００１８】
しかしながら、使用者の使用流量Ｑ１が確保されていれば、図２に示す、流量Ｑ１と必要揚程曲線Ａとの交点（回転速度Ｎ３）Ｕ１よりも揚程が高く、上記交点Ｕ３よりも揚程が低い、ポイントＵ２が運転ポイント（回転速度Ｎ２）となるようにポンプの運転を制御してもよい場合がある。このような場合に、揚程の高い交点Ｕ３でポンプを駆動（運転）すると、揚程が低いポイントＵ２でポンプを駆動（運転）する時に比べて、ポンプの回転速度は大きくなり、それだけ多くの電力を消費することになる。このことは、省エネルギー設計を厳しく求められる昨今のニーズに反する。【００１９】
また、使用者では、十分な余裕を持った制御用揚程曲線に基づいてポンプの回転速度を制御する必要がない場合がある。このような場合には、必要最低限の余裕を持った制御用揚程曲線に基づいてポンプの回転速度を制御することで、省エネルギー化に貢献することができる。【００２０】
ここで、例えば、集合住宅では、朝や夕方など、多くのユーザーが水を頻繁に使う時間帯が存在し、水使用量が急に増える時間帯などに、例えばポンプの回転速度を下げて、省エネルギー化に貢献しようとすると、各家庭に均一圧力で給水できなくなるおそれがある。このため、一定圧給水を確保するためには、水が多量に使われる時間帯を避け、水があまり使われない時間帯に、例えばポンプの回転速度を下げて、省エネルギー化に貢献することが望ましい。【００２１】
なお、特許文献１に記載の発明は、使用者が必要とする流量に合わせて、回転速度が低くなるようにポンプの運転を制御するようにしたものではない。【００２２】
本発明は上記事情に鑑みてされたもので、水が多量に使われる時間帯を避け、水があまり使われない時間帯に、例えば回転速度が低くなるようにポンプの回転速度を制御して、省エネルギー化の要請に応えることができるようにした給水装置及び給水方法を提供することを目的とする。
【課題を解決するための手段】
【００２３】
本発明の給水装置は、水を加圧して送水するポンプと、前記ポンプに電力を供給して該ポンプを変速運転する周波数変換器と、第１運転と該第１運転より消費電力が少ない第２運転のいずれかで前記ポンプを運転するように前記周波数変換器に運転信号を送る制御部とを備えている。前記制御部は、前記ポンプの運転を前記第１運転から前記第２運転に移行して良いか否かを、前記ポンプの運転状況（運転履歴）に基づいて判断する。【００２４】
このように、ポンプの運転状況（運転履歴）に基づいて、ポンプの運転を第１運転（通常運転）から該第１運転より消費電力が少ない第２運転（エコ運転）に移行して良いか否かを判断することで、水が多量に使われていたり、水使用量が急に増えたりする時間帯を避け、水があまり使われない時間帯に、ポンプの運転を、第１運転（通常運転）から該第１運転より消費電力が少ない第２運転（エコ運転）に移行させて、省エネルギー化の要請に応えることができる。【００２５】
本発明の他の給水装置は、水を加圧して送水するポンプと、前記ポンプに電力を供給して該ポンプを変速運転する周波数変換器と、第１運転と該第１運転より消費電力が少ない第２運転のいずれかで前記ポンプを運転するように前記周波数変換器に運転信号を送る制御部とを備えている。前記制御部は、前記ポンプの運転を前記第２運転から前記第１運転に移行して良いか否かを、前記ポンプの運転状況（運転履歴）に基づいて判断する。【００２６】
このように、ポンプの運転を第１運転（通常運転）より消費電力が少ない第２運転（エコ運転）から第１運転に移行して良いか否かを、ポンプの運転状況（運転履歴）に基づいて判断することで、例えば水使用量が急に増える時間帯に、第２運転から第１運転に移行させて、各家庭等への給水が不足してしまうことを防止することができる。【００２７】
本発明の更に他の給水装置は、水を加圧して送水するポンプと、前記ポンプに電力を供給して該ポンプを変速運転する周波数変換器と、第１運転と該第１運転より消費電力が少ない第２運転のいずれかで前記ポンプを運転するように前記周波数変換器に運転信号を送る制御部とを備えている。前記制御部は、前記ポンプの運転を前記第１運転から前記第２運転に移行して良いか否か、並びに前記ポンプの運転を前記第２運転から前記第１運転に移行して良いか否かを、前記ポンプの運転状況（運転履歴）に基づいて判断する。【００２８】
本発明の給水方法は、周波数変換器からポンプに電力を供給して該ポンプを第１運転で運転して水を加圧送水し、前記ポンプの運転を前記第１運転から該第１運転より消費電力が少ない第２運転に移行させて良いか否かを、前記ポンプの運転状況（運転履歴）に基づいて判断し、この判断結果を基に、前記ポンプの運転を前記第１運転から前記第２運転に移行する。【００２９】
本発明の他の給水方法は、周波数変換器からポンプに電力を供給して該ポンプを第１運転より消費電力が少ない第２運転で運転して水を加圧送水し、前記ポンプの運転を前記第２運転から前記第１運転に移行させて良いか否かを、前記ポンプの運転状況（運転履歴）に基づいて判断し、この判断結果を基に、前記ポンプの運転を前記第２運転から前記第１運転に移行する。【００３０】
本発明の更に他の給水方法は、周波数変換器からポンプに電力を供給して該ポンプを第１運転で運転して水を加圧送水し、前記ポンプの運転を前記第１運転から該第１運転より消費電力が少ない第２運転に移行させて良いか否かを、前記ポンプの運転状況（運転履歴）に基づいて判断し、該判断結果を基に、前記ポンプの運転を前記第１運転から前記第２運転に移行し、前記ポンプの運転を前記第２運転から前記第１運転に移行させて良いか否かを、前記ポンプの運転状況（運転履歴）に基づいて判断し、該判断結果を基に、前記ポンプの運転を前記第２運転から前記第１運転に移行する。【００３１】
本発明の給水装置の制御プログラムは、水を加圧して送水するポンプと、前記ポンプに電力を供給して該ポンプを変速運転する周波数変換器とを有する給水装置を制御するためのプログラムである。この制御プログラムは、周波数変換器からポンプに電力を供給して該ポンプを第１運転で運転して水を加圧送水する演算処理を実行させ、前記ポンプの運転を前記第１運転から該第１運転より消費電力が少ない第２運転に移行させて良いか否かを、前記ポンプの運転状況（運転履歴）に基づいて判断し、該判断結果を基に、前記ポンプの運転を前記第１運転から前記第２運転に移行する演算処理を実行させ、該ポンプを第２運転で運転して水を加圧送水する演算処理を実行させ、前記ポンプの運転を前記第２運転から前記第１運転に移行させて良いか否かを、前記ポンプの運転状況（運転履歴）に基づいて判断し、該判断結果を基に、前記ポンプの運転を前記第２運転から前記第１運転に移行する演算処理を実行させ、該ポンプを第１運転で運転して水を加圧送水する演算処理を実行させる。【００３２】
本発明の給水装置の制御装置は、水を加圧して送水するポンプと、前記ポンプに電力を供給して該ポンプを変速運転する周波数変換器とを有する給水装置を制御する。この制御装置は、ヒューマンインターフェースとしての設定部と、前記制御プログラムを格納し前記設定部から入力されるデータを記憶する記憶部と、給水装置に備えられているセンサ類からの信号を受けて下記の演算部に送るとともに、第１運転と該第１運転より消費電力が少ない第２運転のいずれかで前記ポンプを運転するように、演算部からの運転信号を前記周波数変換器に送るＩ／Ｏ部と、前記記憶部に記憶されているデータ及び前記Ｉ／Ｏ部から送られる信号を基に、前記制御プログラムを実行させる演算部とを備えている。
【発明の効果】
【００３３】
本発明の給水装置及び給水方法によれば、第１運転（通常運転）より消費電力の少ない第２運転（エコ運転）でポンプを運転することができ、これによって、給水時の使用電力を抑えて省エネルギー化を図り、ＣＯ２の削減に繋げることができる。しかも、第１運転と第２運転の切換えを自動で判断することで、水が多量に使われる時間帯に第２運転に切換えてしまって揚程が足りなくなったり、逆に水をあまり使わない時間帯に第１運転で必要以上の回転速度でポンプを回転させたりすることがなくなる。これによって、使用者への給水を確保しつつ、省エネルギー運転が可能な時だけ省エネルギー運転をすることができる。特に、学校など、季節変動によって給水量が大きく異なる場合や、建設後年数が経過したマンションで、空き住居数が増加した場合等に、最適な制御用揚程曲線を選んだり、省エネ制御を選んだりすることで、ユーザーに不快感を与えることなく、かつ、消費電力を抑える効果を得ることができる。
【図面の簡単な説明】
【００３４】
【図１】従来の給水装置の構成例を示す図である。
【図２】給水装置における必要揚程曲線と従来の給水装置の（標準）制御用揚程曲線とを、ポンプのＨ−Ｑ曲線と共に示すグラフである。
【図３】運転中の給水装置におけるポンプの回転周波数と時間との関係を示すグラフである。
【図４】本発明の実施形態の給水装置の構成例を示す図である。
【図５】本発明の実施形態の給水装置の制御部に記憶されている複数の制御用揚程曲線を必要揚程曲線と共に示すグラフである。
【図６】本発明の実施形態の給水装置に備えられている運転パネルを示す平面図である。
【図７】本発明の制御用揚程曲線として使用される省エネ型制御用揚程曲線を必要揚程曲線及び標準制御用揚程曲線と共に示すグラフである。
【図８】本発明の制御用揚程曲線として使用される他の省エネ型制御用揚程曲線を必要揚程曲線及び標準制御用揚程曲線と共に示すグラフである。
【図９】本発明の制御用揚程曲線として使用される更に他の省エネ型制御用揚程曲線を必要揚程曲線及び標準制御用揚程曲線と共に示すグラフである。
【図１０】本発明の制御用揚程曲線として使用される更に他の省エネ型制御用揚程曲線を必要揚程曲線及び標準制御用揚程曲線と共に示すグラフである。
【図１１】給水装置を1日運転したときにおける時刻と給水量の関係の一例を示すグラフである。
【図１２】エコモード設定用の操作ボタンを備えた給水装置のポンプの運転を、標準モードの第１運転（通常運転）からエコモードの第２運転（エコ運転）に移行させる時のフローチャートである。
【図１３】エコモード設定用の操作ボタンを備えた給水装置のポンプの運転を、エコモードの第２運転（エコ運転）から標準モードの第１運転（通常運転）に移行させる時のフローチャートである。
【図１４】エコモード設定用の操作ボタンを有さない給水装置のポンプの運転を、標準モードの第１運転（通常運転）からエコモードの第２運転（エコ運転）に移行させる時のフローチャートである。
【図１５】エコモード設定用の操作ボタンを有さない給水装置のポンプの運転を、エコモードの第２運転（エコ運転）から標準モードの第１運転（通常運転）に移行させる時のフローチャートである。
【図１６】ポンプの運転周波数と積算係数の関係を示すグラフである。
【図１７】ポンプの運転周波数と積算係数の他の関係を示すグラフである。
【図１８】ポンプの運転周波数と積算係数の更に他の関係を示すグラフである。
【図１９】ポンプの運転周波数と積算係数の更に他の関係を示すグラフである。
【図２０】図１７に示すグラフを基に積算係数を算出した時の積算係数の積算値と時間との例を示すグラフである。
【図２１】第１閾値及び第２閾値と、第１運転（通常運転）及び第２運転（エコ運転）との関係を示すグラフである。
【図２２】積算係数の積算値を第１閾値及び第２閾値と比較して第１運転（通常運転）と第２運転（エコ運転）の切換を行うフローチャートの要部である。
【図２３】省エネ型制御用揚程曲線を、積算係数の積算値に比例させた、新たな省エネ型制御用揚程曲線に更新する例の説明に付する図である。
【図２４】省エネ型制御用揚程曲線を、更新した新たな省エネ型制御用揚程曲線に移行する時のフローチャートの要部である。
【図２５】省エネ型制御用揚程曲線を、積算係数の積算値に比例させた、新たな省エネ型制御用揚程曲線に更新する他の例の説明に付する図である。
【発明を実施するための形態】
【００３５】
以下、本発明の実施形態を、図面を参照して説明する。なお、図１乃至図２５において、同一または相当する要素には同一符号を付して重複した説明を省略する。
【００３６】
図４は、本発明の実施形態の給水装置の構成例を示す図である。図４に示すように、給水装置の制御部（制御装置）１５は、設定部１６、記憶部１７、演算部１８、表示部１９及びＩ／Ｏ部２０を備えている。設定部１６及び表示部１９は、給水装置の運転パネル２１に備えられている。なお、制御部１５以外の構成は、図１に示す従来の給水装置の構成とほぼ同様である。
【００３７】
運転パネル２１は、設定部１６と表示部１９を有し、例えばスイッチ、入力確認用ブザー及び入力確認用表示を有し、ヒューマンインターフェースとして機能する。設定部１６には、外部操作により、流量と揚程の異なる関係を示す複数の制御用揚程曲線等を作成する各種設定値、例えば使用流量が“０”の時の前記揚程（最低必要圧力）ＰＢ１、使用流量が最終点Ｑ０の時の前記揚程（最大必要圧力）ＰＡ１等を入力する。また、設定部１６には、制御用揚程曲線の切換えをしてもよいか否かを判断するための各種設定値として、例えば、後述のポンプ駆動時間やポンプ停止時間についての所定時間（ａ及びｂ）、後述の積算係数と運転周波数の関係式を作成するための各種設定値、後述の第ｎ閾値を算出するための各種設定値を入力する。設定部１６は、下記のエコモードであるか否かを選択する、ＯＮ／ＯＦＦを設定する機能を有している。設定部１６に入力されたデータは、記憶部１７に記憶される。
【００３８】
表示部１９は、ヒューマンインターフェースとして機能し、記憶部１７に格納されている設定値等の各種データや、現在のポンプの運転状況（運転状態）、例えばポンプの運転または停止、運転周波数、電流、吐出し圧力、流入圧力(直結給水の場合)、受水槽水位等を表示する。
【００３９】
記憶部１７としては、ＲＡＭ等のメモリを使用し、記憶部１７には、後述の制御フローチャート等で示す制御プログラムや各種データ、例えば演算部１８における演算結果のデータ(駆動時間、停止時間、積算値)、圧力値(流入圧力、吐出し圧力)、設定部１６により入力されたデータ、Ｉ／Ｏ部２０により入力される、またはＩ／Ｏ部２０から出力されるデータ等が格納される。
【００４０】
Ｉ／Ｏ部２０としては、ポート等を使用し、Ｉ／Ｏ部２０は、吐出側圧力センサ４の出力やフロースイッチ６の信号などの給水装置内に設置された各種センサからの信号を受け入れて演算部１８に送る。Ｉ／Ｏ部２０は、通信における信号の入出力も行う。
【００４１】
演算部１８としては、ＣＰＵを使用し、演算部１８は、記憶部１７に格納されているプログラム及び各種データ、並びにＩ／Ｏ部２０から入力される信号に基づいて、時間の計測(直前駆動時間、停止時間)、積算の演算(積算値)、通信データの処理、目標圧力の演算、周波数指令値の演算等を行う。そして、演算部１８からの出力は、Ｉ／Ｏ部２０に入力される。
【００４２】
また、Ｉ／Ｏ部２０と各インバータ２は、ＲＳ４８５等の通信手段により互いに接続され、Ｉ／Ｏ部２０からインバータ２へは、各種設定値や周波数指令値、発停信号（起動・停止信号）などの制御信号が送られ、インバータ２からＩ／Ｏ部２０へは、実際の周波数値や電流値等の運転状況（運転状態）が逐次送られる。
【００４３】
なお、Ｉ／Ｏ部２０と各インバータ２との間の制御信号の送受信としては、周波数等はアナログ信号を、運転停止指令等はデジタル信号をそれぞれ用いることもできる。
【００４４】
図５は、設定部１６を介して設定されて記憶部１７に記憶されている複数の制御用揚程曲線を示す。図５は、第１運転より消費電力が少ない第２運転用の制御用揚程曲線として、第１運転（通常運転）用の制御用揚程曲線（以下、標準制御用揚程曲線という）に対して、全流領域または一部の流量域において揚程を低く設定した省エネ型制御用揚程曲線を示している。この例では、例えば建物の揚程（最上階の高さ）Ｈ１、水道器具に必要な圧力（水道器具の圧損）Ｈ２、及び流量に依存する配管損失Ｈ３の合計（Ｈ１＋Ｈ２＋Ｈ３）から求められる必要揚程曲線Ａに対し、例えば十数％程度の余裕を持たせた、第１運転（通常運転）用の標準制御用揚程曲線Ｂの他に、第１運転より消費電力が少ない第２運転（エコ運転）用の３つの省エネ型制御用揚程曲線Ｃ１，Ｃ２，Ｃ３の合計４つの制御用揚程曲線が使用されている。
ここで、第１運転及び第２運転とは、それぞれの運転においてポンプが駆動して送水が行われている状態を含むものとして以下で説明する。
【００４５】
省エネ型制御用揚程曲線Ｃ１，Ｃ２，Ｃ３は、標準制御用揚程曲線Ｂに対して略並行に、全流量域に亘って揚程が低く設定されている。そして、省エネ型制御用揚程曲線Ｃ１，Ｃ２，Ｃ３の順に、揚程が順に低くなるように設定されている。そして、この４つの制御用揚程曲線Ｂ，Ｃ１，Ｃ２，Ｃ３の内の一つが択一的に選択され、この選択された制御用揚程曲線Ｂ，Ｃ１，Ｃ２またはＣ３に基づいてポンプ１の回転速度が制御される。
【００４６】
図６は、給水装置に備えられている運転パネル２１の平面図を示す。図６に示すように、運転パネル２１には、記憶部１７に記憶されている、この例では合計４つの制御用揚程曲線Ｂ，Ｃ１，Ｃ２，Ｃ３を順次切換える切換ボタン２２と、ポンプ１の回転速度の制御に使用される制御用揚程曲線に対応した省エネルギーの程度を示す省エネ表示部２３とが備えられている。
【００４７】
ここで、省エネ表示部２３のランプが点灯していない運転状態（運転モード）を標準モード、省エネ表示部２３のランプ（のいずれか）が点灯している状態をエコモードという。
【００４８】
切換ボタン２２を押さない場合は、省エネ表示部２３のランプが点灯することなく、標準制御用揚程曲線Ｂがポンプ１の回転速度の制御に使用される。そして、切換ボタン２２を１回押すと、省エネ表示部２３の“Ｌ”に対応するランプが点灯し、標準制御用揚程曲線Ｂが省エネ制御用揚程曲線Ｃ１に自動的に切換えられて、省エネ制御用揚程曲線Ｃ１がポンプ１の回転速度の制御に使用される。切換ボタン２２を２回押すと、省エネ表示部２３の“Ｍ”に対応するランプが点灯し、標準制御用揚程曲線Ｂが省エネ制御用揚程曲線Ｃ２に自動的に切換えられて、省エネ制御用揚程曲線Ｃ２がポンプ１の回転速度の制御に使用される。更に、切換ボタン２２を３回押すと、省エネ表示部２３の“Ｈ”に対応するランプが点灯し、標準制御用揚程曲線Ｂが省エネ制御用揚程曲線Ｃ３に自動的に切換えられて、省エネ制御用揚程曲線Ｃ３がポンプ１の回転速度の制御に使用される。切換ボタン２２を４回押すとエコモードから基の標準モードに復帰する。
【００４９】
すなわち、標準モードでは、ポンプ１の回転速度の制御に標準制御用揚程曲線（Ｂ）が使用され、エコモードでは、ポンプ１の回転速度の制御に使用する制御用揚程曲線を、ポンプ１の運転状況（運転履歴）に基づいて、標準制御用揚程曲線（Ｂ）から省エネ型制御用揚程曲線（Ｃ１，Ｃ２またはＣ３）に自動的に切換えて、ポンプ１の回転速度を制御する。
【００５０】
以上のように、ポンプ１の運転状態（運転モード）が標準モードであるかエコモードであるかを使用者が切換ボタン２２を使用して手動で簡便に行い、エコモードであれば、３段階の内のどの段階かを省エネ表示部２３で確認することができる。
【００５１】
次に、この給水装置によって、使用者の使用流量がＱ１となるように、ポンプの回転速度を制御する場合について、図５を参照して説明する。先ず、切換ボタン２２を押さない場合、標準制御用揚程曲線Ｂに基づいて、ポンプ１の回転速度が制御され、標準制御用揚程曲線Ｂと流量がＱ１との交点Ｕ３がポンプ１の運転ポイントとなる。この時、省エネ表示部２３のランプは点灯されない。
【００５２】
以下、流量Ｑ１で給水する場合を例に説明する。
使用者が切換ボタン２２を１回押すとエコモードとなり、省エネ表示部２３の“Ｌ”に対応するランプが点灯し、ポンプの運転状況（運転履歴）に応じて、標準制御用揚程曲線Ｂが省エネ型制御用揚程曲線Ｃ１に自動的に切換えられて、ポンプ１の回転速度は省エネ型制御用揚程曲線Ｃ１で制御される。この場合には、省エネ型制御用揚程曲線Ｃ１と流量がＱ１との交点Ｕ４がポンプ１の運転ポイントとなる。また、切換ボタン２２を２回押すと、省エネ表示部２３の“Ｍ”に対応するランプが点灯し、ポンプの運転状況（運転履歴）に応じて、標準制御用揚程曲線Ｂが省エネ型制御用揚程曲線Ｃ２に自動的に切換えられて、ポンプ１の回転速度は省エネ型制御用揚程曲線Ｃ２で制御される。この場合には、省エネ型制御用揚程曲線Ｃ２と流量がＱ１との交点Ｕ５がポンプ１の運転ポイントとなる。切換ボタン２２を３回押すと、省エネ表示部２３の“Ｈ”に対応するランプが点灯し、ポンプの運転状況（運転履歴）に応じて、標準制御用揚程曲線Ｂが省エネ型制御用揚程曲線Ｃ３に自動的に切換えられて、ポンプ１の回転速度は省エネ型制御用揚程曲線Ｃ３で制御される。この場合には、省エネ型制御用揚程曲線Ｃ３と流量がＱ１との交点Ｕ６がポンプ１の運転ポイントとなる。
【００５３】
このように、同じ使用水量であっても、必要に応じて、回転速度の低い運転ポイントを選んでポンプを運転できるようにすることで、給水時の使用電力を抑えて省エネルギー化を図り、ＣＯ２の削減に繋げることができる。
【００５４】
上記の例では、図７に示すように、標準制御用揚程曲線Ｂに対して略並行に、全流量域に亘って揚程が低く設定された、省エネ型制御用揚程曲線Ｃを複数（上記の例では、Ｃ１，Ｃ２及びＣ３の３つ）使用して、全流量域において、省エネルギーを図るようにした例を示している。
【００５５】
図８に示すように、標準制御用揚程曲線Ｂに対して中流量域の揚程を低く設定した省エネ型制御用揚程曲線Ｄを使用し、主に中流量域において省エネルギーを図るようにしてもよい。また、図９に示すように、標準制御用揚程曲線Ｂに対して大流量域の揚程を低く設定した省エネ型制御用揚程曲線Ｅを使用し、主に大流量域において省エネルギーを図るようにしてもよい。更に、図１０に示すように、標準制御用揚程曲線Ｂに対して小流量域の揚程を低く設定した省エネ型制御用揚程曲線Ｆを使用し、主に小流量域において省エネルギーを図るようにしてもよい。
【００５６】
ここで、例えば図５に示す第１運転（通常運転）用の標準制御用揚程曲線Ｂの他に、第１運転より消費電力が少ない第２運転（エコ運転）用の省エネ型制御用揚程曲線Ｃ１を有し、図６に示す切換ボタン２２を１回押すことで、省エネ型制御用揚程曲線Ｃ１を使用した、エコモードのポンプの第２運転（エコ運転）を行おうとした時、水が多量に使われる時間帯では、この切換ボタン２２が１回押された直後に、ポンプの運転を第１運転（通常運転）から第２運転（エコ運転）に移行すると、各家庭に均一圧力で給水できなくなるおそれがある。また、ポンプを第２運転（エコ運転）で運転し続けると、水の使用量が急に増える時間帯などで、水の供給量が不足するおそれがある。
【００５７】
図１１は、給水装置を１日運転した時における給水量（流量）と時刻との関係の一例を示すグラフである。この図１１から、水が多量に使われる時間帯は、例えば朝の７時から１１時ごろ（時間：ＴＭ１）と、夕方の１８時から２０時ごろ（時間：ＴＭ２）で、朝の８時から９時ごろが最大水量の７０Ｌ／ｍｉｎの給水量となって、水の使用量が急に増える時間帯は、例えば朝の6時から8時の間であることが判る。一方、深夜の１時から５時ごろ（時間：ＴＬ１）にかけては、最小水量となる。
【００５８】
そこで、この例では、ポンプの運転状況（運転履歴）として、給水装置の使用頻度とポンプ直前駆動時間及びポンプ停止時間との関係に着目し、切換ボタン２２が押されて、エコモードが設定された（エコモードＯＮ）ときに、給水装置の使用頻度が少ないときに、ポンプの運転を第１運転（通常運転）から第２運転（エコ運転）に移行させ、更にポンプを第２運転（エコ運転）で運転中に、給水装置の使用頻度が上がった時に、ポンプの運転を第２運転（エコ運転）から第１運転（通常運転）に自動的に移行させるようにしている。
【００５９】
なお、ポンプ直前駆動時間及びポンプ停止時間の代わりに、給水装置の使用頻度と関係がある、例えば以下の式１で表されるポンプ駆動率、及び以下の式２で表されるポンプ停止率に基づいて、給水装置の使用頻度が少ないときに、ポンプの運転を第１運転（通常運転）から第２運転（エコ運転）に移行させ、更にポンプを第２運転（エコ運転）で運転中に、給水装置の使用頻度が上がった時に、ポンプの運転を第２運転（エコ運転）から第１運転（通常運転）に自動的に移行させるようにしてもよい。これによっても、上記と同様に、使用者への給水を確保しつつ、省エネルギー運転が可能な時だけ省エネルギー運転を行うことができる。
ポンプ駆動率
＝ポンプ駆動時間÷（ポンプ駆動時間＋ポンプ停止時間）  （式１）
ポンプ停止率
＝ポンプ停止時間÷（ポンプ駆動時間＋ポンプ停止時間）  （式２）
【００６０】
なお、ポンプ駆動率及びポンプ停止率は、任意の時間当りのポンプ駆動時間及びポンプ停止時間で定義してよく、また、任意のタイミングで（任意の時間毎に）更新してよい。例えば、最新の１５分間当りのポンプ駆動時間及びポンプ停止時間で算出し常時更新すればよい。すなわち、ポンプ駆動率及びポンプ停止率の算出は平均値を使用し、常時最新の運転状況（運転履歴）を反映して更新されるポンプ駆動率及びポンプ停止率に基づいて、ポンプの運転を自動的に切換えることが可能となる。特に、比較的短い時間の間にポンプの運転と停止が繰返される場合には、ポンプ直前駆動時間及びポンプ停止時間の代わりに、ポンプ駆動率及びポンプ停止率に基づいて、ポンプの運転を第１運転（通常運転）と第２運転（エコ運転）とを自動的に切換えることによって、必要以上に多くの頻度でポンプの運転を切換えることがなくなり、使用者に不快感を与えることなく、かつ、消費電力を抑えた給水を行うことができる。また、ポンプ駆動時間またはポンプ停止時間が長くなると、ポンプの運転頻度が急に変化する場合や急激な流量変動時には、ポンプ駆動率及びポンプ停止率の変化が遅れ、圧力制御に遅れが出てしまう可能性があるので、ポンプ駆動率及びポンプ停止率の定義は、必要以上に長い時間で定義せず、例えば、１０分間当たり〜２０分間当たりで算出するのがよい。
【００６１】
ポンプ駆動率及びポンプ停止率を算出する場合のポンプ駆動時間は、現在のサイクルでの時点ｔ３におけるポンプ直前駆動時間（ｔ２〜ｔ３）、又は後述するように現在のサイクルでの時点ｔｂにおけるポンプ直前駆動時間（ｔ２〜ｔｂ）だけではなく、過去のいくつかのサイクルまで遡ってそれらの各サイクルにおけるポンプを駆動している時間も合算した時間としてもよい。また、ポンプ停止時間も現在のサイクルにおける停止時間（ｔ１〜ｔ２、又は後述のｔ１〜ｔａ）だけではなく、過去のいくつかのサイクルまで遡ってそれらの各サイクルにおけるポンプの停止時間も合算した時間としてもよい。なお、ポンプ駆動率及びポンプ停止率を算出する場合、ポンプが加圧運転をしている時間（ｔ３〜ｔ４）も含めてポンプ駆動時間（ｔ２〜ｔ４）と定義してもよい。
【００６２】
図１２は、例えば図６に示す切換ボタン２２を押すことで、ポンプの運転を、ポンプの運転状況（運転履歴）に基づいて、図５に示す標準制御用揚程曲線Ｂを使用した、標準モードの第１運転（通常運転）から、省エネ型制御用揚程曲線Ｃ１を使用したエコモードの第２運転（エコ運転）に移行させる時の制御のフローチャートを示す。図１２は、ポンプの運転の切換えの判断に必要な要素のみを開示している。このことは、以下のフローチャートにあっても同様である。また、以下のフローチャートにおいて、同じステップは同じステップ番号を付して、重複した説明を省略する。
【００６３】
先ず、ポンプが第１運転（通常運転）で運転されているか否かを判断し（ステップ１）、ポンプが第１運転（通常運転）で運転されている時に、切換ボタンによるエコモードＯＮ操作があるか否かを判断する（ステップ２）。そして、切換ボタンによるエコモードＯＮ操作がある場合には、エコモードをＯＮにする（ステップ３）。なお、切換ボタンによるエコモードＯＮ操作がない場合には、切換ボタンによるエコモードＯＦＦ操作があるか否かを判断し（ステップ４）、切換ボタンによるエコモードＯＦＦ操作がある場合には、エコモードをＯＦＦにする（ステップ５）。
【００６４】
次に、エコモードがＯＮであるか否かを判断し（ステップ６）、エコモードがＯＦＦの場合は、ポンプの運転を第１運転（通常運転）としたまま（ステップ７）、ステップ１に戻る。エコモードがＯＮの場合は、ポンプが停止中（ポンプが駆動していない状態）であるか否かを判断する（ステップ８）。
【００６５】
ポンプが停止中である場合には、ポンプ停止時間のカウントを行い（ステップ９）、ポンプ直前駆動時間をクリアする（ステップ１０）。そして、ポンプ停止時間を計測し（ステップ１１）、ポンプ停止時間（例えば、図３に示す時点ｔａにおけるポンプ停止時間は、時間ｔ１〜ｔａ）が所定時間ｂ（例えば２分）以上（ポンプ停止時間（ｔ１〜ｔａ）≧ｂ）の場合には、あまり水が使われない時間帯と判断して、ポンプの運転を第１運転（通常運転）から第２運転（エコ運転）に移行し（ステップ１２）、ステップ１に戻る。
【００６６】
一方、ポンプが停止中でない（駆動している）場合には、ポンプの運転を第１運転（通常運転）のままにしてステップ１に戻る。
【００６７】
このように、あまり水が使われない時間帯に、ポンプの運転を第１運転（通常運転）から第２運転（エコ運転）に移行させることで、必要水量を供給するのに対して余裕度を抑えた低い回転速度でポンプを運転して消費電力を少なくすることができる。ここで、あまり水が使われない時間帯は、例えば図１１に示す例にあっては、夜の２２時から６時ごろまでの間（時間：ＴＬ１）、および昼過ぎの１２時から１６時ごろまでの間（時間：ＴＬ２）である。
【００６８】
図１３は、図１２のステップ１で、ポンプが図５に示す省エネ型制御用揚程曲線Ｃ１を使用した第２運転（エコ運転）である（ポンプが第１運転（通常運転）でない）と判断された時に、第２運転（エコ運転）から、標準制御用揚程曲線Ｂを使用した第１運転（通常運転）に移行させる時のフローチャートを示す。
【００６９】
この場合、エコモードがＯＮであるか否かを判断し（ステップ６）、エコモードがＯＦＦの場合は、ポンプの運転を第２運転（エコ運転）から第１運転（通常運転）に移行させ（ステップ７−１）、ステップ１に戻る。エコモードがＯＮの場合は、ポンプが停止中であるか否かを判断する（ステップ８）。
【００７０】
そして、ポンプが停止中である場合に、ポンプの運転を第２運転（エコ運転）としたままステップ１に戻る。
【００７１】
一方、ポンプが停止中でない場合には、ポンプ直前駆動時間のカウントを行い（ステップ１３）、ポンプ停止時間をクリアする（ステップ１４）。そして、ポンプ直前駆動時間を計測し（ステップ１５）、ポンプ直前駆動時間（例えば、図３に示す時点ｔｂにおけるポンプ直前駆動時間は、時間ｔ２〜ｔｂ）が所定時間ａ（例えば２分）未満（ポンプ直前駆動時間（ｔ２〜ｔｂ）＜ａ）の場合には、あまり水が使われない時間帯と判断して、ポンプの運転を第２運転（エコ運転）としたままステップ１に戻る。ポンプ直前駆動時間が所定時間ａ（例えば２分）以上（ポンプ直前駆動時間（ｔ２〜ｔｂ）≧ａ）の場合には、頻繁に水が使用される時間帯と判断して、切換ボタンが押されてエコモードＯＮの状態であっても、ポンプの運転を第２運転（エコ運転）から第１運転（通常運転）に移行し（ステップ１６−１）、ステップ１に戻る。
【００７２】
このように、頻繁に水が使用されている時間帯に、切換ボタンが押されてエコモードＯＮの状態であっても、ポンプの運転を第２運転（エコ運転）から第１運転（通常運転）に強制的に戻すことで、使用者への給水を確保することができる。
【００７３】
なお、上記所定時間ａ，ｂは任意に設定できる。この例では、ポンプの駆動時間と停止時間を常に監視し、ポンプの運転に反映することができる。しかも、切換ボタンを再度押してエコモードをＯＦＦにした場合は、強制的に第１運転（通常運転）に戻すことで、供給圧に不安があるような場合に、即座に第１運転（通常運転）に戻すことができる。
【００７４】
また、急激な圧力変動を避けるため、切換ボタンによるエコモードのＯＮ／ＯＦＦ操作があった場合や、または制御用揚程曲線を自動で切換える場合に、ポンプの運転を急激に切換えることなく、所定の時間をかけて段階的に切換えていくことが好ましい。
【００７５】
上記の例では、切換ボタンの操作によって、ポンプの第１運転（通常運転）から第２運転（エコ運転）への移行等を行うようにしているが、切換ボタンを操作することなく、エコモードを設定するようにしても良い。例えば工場出荷時に設定部１６（図４参照）をエコモードにすることもできる。予めエコモードに設定しておくことで、ポンプの運転状況（運転履歴）に応じて、第１運転（通常運転）と第２運転（エコ運転）を自動的に切換わるようにして、給水装置を制御することができる。
【００７６】
図１４は、予めエコモードに設定するようにした場合の、図５に示す標準制御用揚程曲線Ｂを使用した、標準モードの第１運転（通常運転）から、省エネ型制御用揚程曲線Ｃ１を使用した、エコモードの第２運転（エコ運転）に移行させる時のフローチャートである。図１２に示すフローチャートと異なる点は、以下の通りである。
【００７７】
つまり、第１運転（通常運転）であると判断された場合に（ステップ１）、エコモードの設定がＯＮであるか否かを判断し（ステップ２−１）、エコモードの設定がＯＮである場合には、エコモードをＯＮにして（ステップ３）、ステップ８に移る。エコモードの設定がＯＮでない場合には、エコモードをＯＦＦにし（ステップ５）、ポンプの運転を第１運転（通常運転）としたまま（ステップ７）、ステップ１に戻る。
【００７８】
図１５は、図１４のステップ１で、ポンプが図５に示す省エネ型制御用揚程曲線Ｃ１を使用した第２運転（エコ運転）である（ポンプが第１運転（通常運転）でない）と判断された時に、第２運転（エコ運転）から、標準制御用揚程曲線Ｂを使用した第１運転（通常運転）に移行させる時のフローチャートを示す。図１４に示すフローチャートと異なる点は以下の通りである。
【００７９】
つまり、第２運転（エコ運転）である（第１運転（通常運転）ではない）と判断された場合に（図１４のステップ１）、エコモードの設定がＯＮであるか否かを判断し（ステップ２−１）、エコモードの設定がＯＮである場合には、エコモードをＯＮにして（ステップ３）、ステップ８に移る。エコモードの設定がＯＮでない場合には、エコモードをＯＦＦにし（ステップ５）、ポンプの運転を第２運転（エコ運転）から第１運転（通常運転）に移行させ（ステップ７−１）、ステップ１に戻る。
【００８０】
なお、制御用揚程曲線を切換える場合、製品スペックを変えないために、最大流量域については、制御用揚程曲線を変えない方が好ましい。また、一般家庭向けの給水装置では、使用量が多い朝や晩以外は少水量の使用をすることが多い。このため、図１０に曲線Ｆで示すように、使用頻度が多い小流量域でのみ制御用揚程曲線を省エネ型制御用揚程曲線にすることで、最大流量時の製品スペックを確保しつつ、かつ省エネ効果を高くすることができる。
【００８１】
上記の例では、第１運転（通常運転）及び第２運転（エコ運転）の切換え手段として、推定末端圧力一定制御において、制御用揚程曲線を切換えることを例示したが、第１運転（通常運転）及び第２運転（エコ運転）の切換え手段はそれに限らない。例えば、吐出圧力一定制御の場合は、図５に示すように、設定吐出し圧力が使用流量によらずに一定値ＰＡ１となる標準制御用揚程曲線（直線）を使用して制御する運転を第１運転（通常運転）とし、このＰＡ１に1未満の一定の比率をかけた吐出し圧力ＰＡ２になる省エネ型制御用揚程曲線（直線）を使用して制御する運転を第２運転（エコ運転）としてもよい。また、ポンプの回転速度に一定の比率（例えば０．９５）をかけて、少ない回転速度で、ポンプの運転を第２運転（エコ運転）にするようにしてもよい。
【００８２】
また、上記の例では、ポンプの第１運転（通常運転）と第２運転（エコ運転）の切換えを、ポンプ直前駆動時間やポンプ停止時間で判断しているが、これらの時間といった運転状況（運転履歴）のみではなく、ポンプ直前駆動時間と、ポンプの回転速度、吐出し圧力、最大流量、ポンプ直前駆動時間での平均吐出し流量又はポンプ直前駆動時間での積算吐出し流量等の運転状況（運転履歴）のうちいずれか１つ又は２つ以上を、すなわちポンプ直前駆動時間だけでなく使用水量も加味した判断指標を基に判断するようにしても良い。
【００８３】
なお、給水装置として圧力タンクを使用した例を挙げているが、圧力タンクを用いない給水装置や、ポンプの駆動とその停止を繰返す装置として、例えばラインポンプ等のポンプ単体を使用した給水装置においても、上記の判断指標を用いた省エネ制御を適用できる。
【００８４】
使用水量に応じた任意の係数を積算し、この積算結果を使って、第２運転（エコ運転）を行うか否かを最適に判断するようにした例を以下に説明する。
ポンプの第１運転（通常運転）から第２運転（エコ運転）への切換えをポンプ停止時間のみで判断していると、ポンプ停止中にのみ第２運転（エコ運転）に切換わる。すなわち、使用水量が少ない場合でもポンプ運転時間が長時間ならば第１運転（通常運転）が継続される。しかしながら、使用水量も加味した判断指標を基に判断すれば、ポンプ駆動中でも使用水量が少ないと判断した場合には第１運転（通常運転）から第２運転（エコ運転）への切換えを行うことが出来る。つまり、使用水量が少ない場合には、ポンプが駆動していても第２運転（エコ運転）へ切換えてポンプを駆動することができ、これによって、消費電力をより少なくすることができる。
【００８５】
ポンプ駆動中の使用水量はポンプの運転周波数に比例するので、ポンプの運転周波数に対応した積算係数αを定義する。この積算係数αは、給水装置が設置された各現場において基準となる水量（例えば、マンションなどの集合住宅ならば、朝晩のピーク時間帯や深夜の殆ど水が使われない時間帯を避けた昼間の使用水量）付近を基準水量とし、積算係数αを０（α＝０）とする。基準水量より水量が少ない場合は、積算係数αをマイナス（α＜０）、基準水量が多い場合は、積算係数αをプラス（α＞０）とする。例えば、図１１に示す時刻と給水量の関係の一例を示すグラフにおいて、図１１に点線で示す範囲内の任意の給水量、つまり約２５Ｌ／ｍｉｎから約３５Ｌ／ｍｉｎの範囲内の任意の給水量を基準水量とすることができる。
【００８６】
図１６に示すように、ポンプの運転周波数が最高周波数の、例えば１／２の時を基準水量として、この時の積算係数αを０（α＝０）とし、ポンプの運転周波数が最高周波数の時の積算係数αを１００（α＝１００）とする。そして、ポンプの運転周波数が０の時の積算係数αを−１００（α＝−１００）とした直線を基に、積算係数αを算出する。この場合、例えばポンプを運転周波数Ａ１で駆動しているとき、積算係数αはＢ１（α＝Ｂ１）となり、運転周波数Ａ２で駆動しているとき、積算係数αは−Ｂ２（α＝−Ｂ２）となる。
【００８７】
なお、図１７に示すように、ポンプの運転周波数が最高周波数の、例えば１／２の時を基準水量として、この時の積算係数αを０（α＝０）とし、ポンプの運転周波数が所定の運転周波数Ａ３を超えた時の積算係数αを一定値の１００（α＝１００）とし、ポンプの運転周波数が所定の運転周波数Ａ４以下である時の積算係数αを一定の−１００（α＝−１００）としたグラフを基に、積算係数を算出しても良い。
【００８８】
また、図１８に示すように、ポンプ運転周波数が最高周波数の、例えば１／２の時を基準水量として、この基準水量を挟んだ所定の運転周波数領域Ａ５〜Ａ６を不感帯領域として、この不感帯領域でポンプを駆動している時の積算係数αを０（α＝０）とし、不感帯領域を超えた運転周波数でポンプを駆動している時には、積算係数αが１００に直線状に増加し、不感帯領域より少ない運転周波数でポンプを駆動している時には、積算係数αが−１００に直線状に減少するグラフを基に、積算係数αを算出してもよい。
【００８９】
不感帯領域があると、基準水量付近にて積算値が変動しない。そのため基準水量付近でポンプを駆動している時間帯には、第１運転（通常運転）から第２運転（エコ運転）への切換えや、第２運転（エコ運転）から第１運転（通常運転）への切換えは行われないため、ポンプの第１運転（通常運転）と第２運転（エコ運転）の切換えのハンチングを軽減することができるとともに、第１運転（通常運転）と第２運転（エコ運転）との間の切換えは、使用者の使用水量により重きを置いて判断が為されるようにすることができる。また、基準水量付近における圧力センサの誤差やノイズ等の影響を軽減することができる。
【００９０】
図１９に示すように、不感帯領域を超えた運転周波数でポンプを駆動している時には、運転周波数の増加とともに、積算係数αが２次曲線に沿って１００まで増加し、不感帯領域より少ない運転周波数でポンプを駆動している時には、運転周波数の減少とともに、積算係数αが２次曲線に沿って−１００まで減少するグラフを基に、積算係数αを算出してもよい。
【００９１】
積算係数αが２次曲線となると、積算係数αを直線で定義するのに比べて、大水量域または小水量域において、使用水量の変化に対する積算値の増減がより大きくなる。よって、大水量域または小水量域では、ポンプの第１運転（通常運転）と第２運転（エコ運転）との間の切換えをより早いタイミングで行うことができる。
【００９２】
なお、積算係数αは−１００＜α＜１００のみではなく、この数値範囲に限らず任意の数値範囲としてよい。ただし、運転中に第１運転（通常運転）から第２運転（エコ運転）に切換えを行いたい場合は、使用水量が少ないとき、積算係数α＜０とする。上記の例では、ポンプの運転周波数を基に積算係数を求めるようにしているが、運転周波数の代わりに、モータに供給される電流値を基に積算係数を求めるようにしても良く、推定末端圧力一定制御の場合は、運転周波数の代わりに、目標圧を基に積算係数を求めるようにしてもよい。
【００９３】
推定末端圧力一定制御における目標圧は、運転中のポンプの周波数が使用水量に比例することに基づいて算出される。よって、運転周波数の代わりに推定末端圧力一定制御の目標圧を使用すると、特に複数台運転の場合は駆動中の全ポンプの流量の演算を行う必要がなくなる。
【００９４】
そして、算出した積算係数を任意のサンプリング間隔毎に積算して、積算値（積分値）を求める。この時、ポンプの駆動時間が長くなると積算値が過小または過大となり、急激な流量変動時には圧力制御に遅れが出てしまう可能性があるので、積算値には上下限を設けても良い。ポンプ運転が長時間継続するときは、例えば１時間に１回など、積算値（積分値）を一定時間にてクリアしてもよい。
【００９５】
図２０は、図１７に示すグラフを基に積算係数を算出した時の積算係数の積算値と時間との例を示す。この例では、ポンプの駆動を開始した後、時間ｔ１０から時間ｔ１１までは積算係数αがプラス（α＞０）となる運転、つまり最高周波数の１／２を超える運転周波数でポンプを駆動し、その後、積算係数αがマイナス（α＜０）となる運転、つまり最高周波数の１／２を下回る運転周波数でポンプを駆動して、現時点ｔ１２まで達した時の積算係数の積算値を示している。
【００９６】
つまり、時間ｔ１０〜ｔ１１までは積算係数αが正であるため、その積算値はプラスとなり、時間０から時間ｔ１０までと、時間ｔ１１〜ｔ１２までは積算係数が負であるため、その積算値はマイナスとなる。このため、時間ｔ１０〜ｔ１１まで積算係数の積算値を表す面積Ｓ１から、時間０から時間ｔ１０までの積算係数の積算値の面積を表す面積Ｓ０と、時間ｔ１１〜ｔ１２まで積算係数の積算値の面積を表す面積Ｓ２とを差し引いた値（Ｓ１−（Ｓ０+Ｓ２））が現時点ｔ１２における積算係数の積算値となる。
【００９７】
そして、例えば、第１運転（通常運転）を第２運転（エコ運転）に移行する時に積算係数の積算値と比較する閾値を第1閾値とし、第２運転（エコ運転）を第１運転（通常運転）に移行する時に積算係数の積算値と比較する閾値を第２閾値とする。そして、例えば第１閾値及び第２閾値を第ｎ閾値（ｎ＝１または２）として、下記の式３のように定義し、また例えば第１閾値と第２閾値との関係を、例えば下記の式４のように設定する。
第ｎ閾値＝ｍｎ×αｍａｘ×Ｎ×Ｔｎ    （式３）
第１閾値≦第２閾値                （式４）
ここで、ｍｎ：任意の係数、αｍａｘ：最高使用水量時の積算係数、Ｎ：１秒当りのサンプリング回数、Ｔｎ：任意の時間（単位：秒）を示す。
【００９８】
この場合、積算係数の積算値が０（ゼロ）となった時に、第１運転（通常運転）を第２運転（エコ運転）に移行する場合は、式３で示す第ｎ閾値を第１閾値として、係数ｍ１または時間Ｔ１をゼロ（０）とし、第１閾値をゼロ（０）とすればよい。また、１秒当りのサンプリング回数を１０回とし、最高使用水量時の積算係数の２倍の水量を３秒間使用した時に、第２運転（エコ運転）を第１運転（通常運転）に移行する場合は、ｍ２＝２、αｍａｘ＝１００、Ｎ＝１０、Ｔ２＝３とすることで、第２閾値が求められる。なお、第１閾値と第２閾値とを等しくしても良い。
【００９９】
そして、図２１に示すように、ポンプを第１運転（通常運転）で運転中に、積算係数の積算値が第１閾値を下回った時に、ポンプの運転を第１運転（通常運転）を第２運転（エコ運転）に移行する。一方、ポンプの第２運転（エコ運転）での運転中に、積算係数の積算値が第２閾値を超えた時に、ポンプの運転を第２運転（エコ運転）を第１運転（通常運転）に移行する。
【０１００】
図２２は、この時のフローチャートの要部（図１２及び図１３におけるステップ８以降）を示す。つまり、ポンプが停止中であるか否かを判断し（ステップ８）、ポンプが停止中である場合には、積算値をクリアし（ステップ２０）、ステップ１（図１２及び図１３参照）に戻る。
【０１０１】
ポンプを第１運転（通常運転）で運転中の場合には、積算係数αを算出し（ステップ２１）、積算係数αの積算値を求める（ステップ２２）。そして、積算係数の積算値と第１閾値とを比較し（ステップ２３）、積算係数の積算値が第１閾値より小さい時（積算係数の積算値＜第１閾値（＝０））、第１運転（通常運転）を第２運転（エコ運転）に移行し（ステップ２４）、ステップ１に戻る。積算係数の積算値が第１閾値以上（積算係数の積算値≧第１閾値（＝０））である場合には、積算係数の積算値と第２閾値とを比較し（ステップ２５）、積算値が第２閾値より大きい（積算値＞第２閾値）場合は、第１運転（通常運転）を継続し（ステップ２６）、ステップ１に戻り、積算値が第２閾値以下である（積算値≦第２閾値）場合も、第１運転（通常運転）を継続したままステップ１に戻る。
【０１０２】
ポンプを第２運転（エコ運転）で運転中の場合には、積算係数αを算出し（ステップ２１）、積算係数の積算値を求める（ステップ２２）。そして、積算係数の積算値と第１閾値とを比較し（ステップ２３）、積算係数の積算値が第１閾値より小さい（積算係数の積算値＜第１閾値（＝０））場合には、第２運転（エコ運転）を継続して（ステップ２４）、ステップ１に戻る。積算係数の積算値が第１閾値以上（積算係数の積算値≧第１閾値（＝０））である場合には、積算係数の積算値と第２閾値とを比較し（ステップ２５）、積算係数の積算値が第２閾値より大きい時（積算係数の積算値＞第２閾値）には、第２運転（エコ運転）を第１運転（通常運転）に移行し（ステップ２６）、ステップ１に戻り、積算値が第２閾値以下（積算値≦第２閾値）である場合は、第２運転（エコ運転）を継続して、ステップ１に戻る。
【０１０３】
以上、ポンプ駆動中の使用水量に応じた任意の係数としての積算係数αを積算し、この積算結果を使って、第２運転（エコ運転）を行うか否かを最適に判断することを説明したが、第２運転（エコ運転）を行うための省エネ型制御用揚程曲線を、積算係数αを積算した積算結果（積算値）に基づいて変化（更新）させて、エコ運転を行ってもよい。
【０１０４】
例えば図１０に示す、省エネ型制御用揚程曲線Ｆを使用した推定末端圧力一定制御の場合は、積算係数の積算値が第１閾値と第２閾値との間の値の時に、図２３に示すように、省エネ型制御用揚程曲線Ｆを、積算係数の積算値（積分値）に比例させた、新たな省エネ型制御用揚程曲線Ｆ１またはＦ２等に更新するようにしても良い。
【０１０５】
この省エネ型制御用揚程曲線Ｆ１またはＦ２の最低必要圧力ＰＢ（Ｆ１）またはＰＢ（Ｆ２）は、省エネ制御用揚程曲線Ｆの最低必要圧力ＰＢ（Ｆ）を第１閾値に、標準制御用揚程曲線Ｂの最低必要圧力ＰＢ１を第２閾値にそれぞれ対応させた直線と積算係数の積算値との交点から求められる。
【０１０６】
この場合、図２４に示すように、ポンプを第１運転（通常運転）で運転中の場合であって、積算係数の積算値が第１閾値を上回り（積算係数の積算値≧第１閾値（＝０））、かつ積算係数の積算値が第２閾値を下回っている（積算係数の積算値≦第２閾値）場合に、ポンプの運転を第１運転（通常運転）から省エネ型制御用揚程曲線Ｆ１またはＦ２に基づく第３運転（エコ運転）に移行し（ステップ２７）、ステップ１に戻る。
【０１０７】
また、ポンプを第２運転（エコ運転）で運転している場合であって、積算係数の積算値が第１閾値を上回り（積算係数の積算値≧第１閾値（＝０））、かつ積算係数の積算値が第２閾値を下回っている（積算係数の積算値≦第２閾値）場合には、ポンプの運転を、省エネ型制御用揚程曲線Ｆに基づく第２運転（エコ運転）から、省エネ型制御用揚程曲線Ｆ１またはＦ２に基づく第３運転（エコ運転）に移行し（ステップ２７）、ステップ１に戻る。この例では、積算係数の積算値が、第１閾値と第２閾値の間に便宜上２つ存在し、省エネ型制御用揚程曲線Ｆ１またはＦ２に基づく第３運転（エコ運転）に移行するようにした場合について説明したが、１つだけ又は３つ以上の省エネ型制御用揚程曲線に基づく第３運転（エコ運転）に段階的に移行するようにしてもよい。また、積算係数の積算値に基づいて、省エネ型制御用揚程曲線の最低必要圧力ＰＢ（Ｆｘ）を連続的に常時変化（更新）させることによって、常時更新される省エネ型制御用揚程曲線を適用して、エコ運転に使用してもよい。このことは、以下の図２５に示す例にあっても同様である。
【０１０８】
また、例えば図５に示す、省エネ型制御用揚程曲線Ｇを使用した吐出し圧力一定制御の場合は、積算係数の積算値が第１閾値と第２閾値との間の値の時に、図２５に示すように、省エネ型制御用揚程曲線Ｇを、積算係数の積算値（積分値）に比例させた、新たな省エネ型制御用揚程曲線Ｇ１またはＧ２等に更新するようにしても良い。
【０１０９】
この省エネ型制御用揚程曲線Ｇ１またはＧ２の最大必要圧力（通常目標圧＝設定圧力）ＰＡ（Ｇ１）またはＰＡ（Ｇ２）は、省エネ制御用揚程曲線Ｇの最大必要圧力ＰＡ（Ｇ）を第１閾値に、標準制御用揚程曲線Ｂの最大必要圧力ＰＡ１を第２閾値にそれぞれ対応させた直線と積算係数の積算値との交点から求められる。この場合の制御例は、前述の図２４に示す例と同様である。
【０１１０】
上述のように、省エネ型制御用揚程曲線を、積算係数の積算値（積分値）に比例させた、新たな省エネ型制御用揚程曲線に更新する制御は、標準制御用揚程曲線と省エネ型制御用揚程曲線を自動で切換える場合だけでなく、手動で切換える場合であっても、複数の省エネ型制御用揚程曲線から自動的に適切な曲線を選択する場合に適用できる。
【０１１１】
これまで本発明の一実施形態について説明したが、本発明は上述の実施形態に限定されず、その技術的思想の範囲内において種々異なる形態にて実施されてよいことはいうまでもない。
【産業上の利用可能性】
【０１１２】
本発明は、ポンプを使用して、集合住宅やビルなどに水道水等の給水を行う給水装置及び給水方法に使用される。
【符号の説明】
【０１１３】
１  ポンプ
２  インバータ（周波数変換器）
３  圧力タンク
４  吐出側圧力センサ
８  吸込側配管
９  水道本管
１０  吸込側圧力センサ
１２  バイパス管
１３  吐出側配管
１５  制御部
１６  設定部
１７  記憶部
１８  演算部
１９  表示部
２０  Ｉ／Ｏ部
２１  運転パネル
２２  切換ボタン
２３  省エネ表示部
Ａ  必要揚程曲線
Ｂ  （標準）制御用揚程曲線
Ｃ，Ｄ，Ｅ，Ｆ，Ｇ  省エネ型制御用揚程曲線
【図１】
2013099843.tif 000003
【図２】
2013099843.tif 000004
【図３】
2013099843.tif 000005
【図４】
2013099843.tif 000006
【図５】
2013099843.tif 000007
【図６】
2013099843.tif 000008
【図７】
2013099843.tif 000009
【図８】
2013099843.tif 000010
【図９】
2013099843.tif 000011
【図１０】
2013099843.tif 000012
【図１１】
2013099843.tif 000013
【図１２】
2013099843.tif 000014
【図１３】
2013099843.tif 000015
【図１４】
2013099843.tif 000016
【図１５】
2013099843.tif 000017
【図１６】
2013099843.tif 000018
【図１７】
2013099843.tif 000019
【図１８】
2013099843.tif 000020
【図１９】
2013099843.tif 000021
【図２０】
2013099843.tif 000022
【図２１】
2013099843.tif 000023
【図２２】
2013099843.tif 000024
【図２３】
2013099843.tif 000025
【図２４】
2013099843.tif 000026
【図２５】
2013099843.tif 000027
【国際調査報告】
2013099843.tif 000028
2013099843.tif 000029
2013099843.tif 000030
2013099843.tif 000031